【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
履歴的ネットワーク使用量パターンを使用して、負担となるメディアコンテンツの配布を調整するためのネットワーク接続されたコンピューティングシステムであって、
前記ネットワーク接続されたコンピューティングシステムは、
通信サービスを提供する複数のネットワーク資源であって、各ネットワーク資源は、通信位置およびネットワーク容量と関連付けられている、複数のネットワーク資源と、
ネットワーク資源コントローラと、
第１のネットワーク使用量パターンと関連付けられた第１のユーザ機器であって、前記第１のネットワーク使用量パターンは、前記第１のユーザ機器が前記ネットワーク資源を利用した１つ以上の以前の通信位置を含む、第１のユーザ機器と、
第２のネットワーク使用量パターンと関連付けられた第２のユーザ機器であって、前記第２のネットワーク使用量パターンは、前記第２のユーザ機器が前記ネットワーク資源を利用した１つ以上の以前の通信位置を含む、第２のユーザ機器と、
前記ネットワーク接続されたコンピューティングシステムのすべての通信デバイスの間でのデータ通信を促進するデータ通信ネットワークと、
コンピュータ実行可能命令で符号化された非一時的なコンピュータ可読媒体と
を備え、
実行される際、前記コンピュータ実行可能命令は、
前記第１のユーザ機器の第１の通信位置への現在の参照を評価することであって、前記第１のユーザ機器は、前記第１の通信位置においてメディアコンテンツ転送セッションに関与し、前記第１の通信位置は、第１のネットワーク容量を有する第１のネットワーク資源と関連付けられる、ことと、
前記現在の参照と前記第１のユーザ機器の前記第１のネットワーク使用量パターンとの比較に基づいて、前記第１のユーザ機器への前記メディアコンテンツ転送セッションのスケジュールを修正するか否かを判定することと
を含む方法を実行し、
前記修正には、前記第１のユーザ機器と通信する前記第１のネットワーク資源の使用を中断することによって前記メディアコンテンツ転送セッションを一時停止し、そして、前記第２のネットワーク資源を使用することによって前記第１のユーザ機器との通信を再開することを伴う、ネットワーク接続されたコンピューティングシステム。
【請求項２】
前記方法は、前記第１のユーザ機器への前記メディアコンテンツ転送セッションの後のスケジューリングのために、前記第１のネットワーク使用量パターンから第２の通信位置を選択することをさらに含み、前記第２の通信位置は、前記第１のネットワーク容量とは異なる第２のネットワーク容量を有する第２のネットワーク資源と関連付けられる、請求項１に記載のネットワーク接続されたコンピューティングシステム。
【請求項３】
前記第１のネットワーク使用量パターンが、前記第１のユーザ機器が、前記ネットワーク資源に低減された負荷を与え得る、前記メディアコンテンツ転送セッションの好ましい通信位置または好ましいデバイス状態を有することを示す場合、前記第２の通信位置は、前記第１のユーザ機器への前記メディアコンテンツ転送セッションの後のスケジューリングに対して選択される、請求項２に記載のネットワーク接続されたコンピューティングシステム。
【請求項４】
前記比較は、ネットワーク資源利用が、１つ以上の判定された時間的パターンに基づくように、前記現在の参照と関連付けられるタイムスタンプを、前記第１のユーザ機器の前記第１のネットワーク使用量パターンと関連付けられる複数のタイムスタンプと比較することをさらに含む、請求項１に記載のネットワーク接続されたコンピューティングシステム。
【請求項５】
前記非一時的なコンピュータ可読媒体は、前記第１のユーザ機器内に含まれ、前記方法は、さらなる資源使用量判定のために、前記メディアコンテンツ転送セッションを修正するという指示を、前記ネットワーク資源コントローラに送信することをさらに含む、請求項１に記載のネットワーク接続されたコンピューティングシステム。
【請求項６】
前記第１のユーザ機器の前記第１および第２の通信位置は、前記第１のユーザ機器が通信した携帯電話サービスエリアに関連する、請求項１に記載のネットワーク接続されたコンピューティングシステム。
【請求項７】
コンピュータ実行可能命令で符号化された非一時的なコンピュータ可読媒体であって、実行される際、前記コンピュータ実行可能命令は、複数のネットワーク資源を有するネットワークシステムにおいてメディアコンテンツ転送セッションをスケジューリングするための方法を実行し、各ネットワーク資源は、通信位置およびネットワーク容量と関連付けられており、
前記方法は、
第１のユーザ機器の第１の通信位置への現在の参照を評価することであって、前記第１のユーザ機器は、前記第１の通信位置においてメディアコンテンツ転送セッションに関与し、前記第１の通信位置は、第１のネットワーク容量を有する第１のネットワーク資源と関連付けられる、ことと、
前記現在の参照と前記第１のユーザ機器の第１のネットワーク使用量パターンとの比較に基づいて、前記第１のユーザ機器への前記メディアコンテンツ転送セッションのスケジュールを修正するか否かを判定することと
を含み、
前記第１のネットワーク使用量パターンは、前記第１のユーザ機器が前記ネットワークシステムの前記ネットワーク資源を利用した１つ以上の以前の通信位置を含み、
前記修正には、前記第１のユーザ機器と通信する前記第１のネットワーク資源の使用を中断することによって前記メディアコンテンツ転送セッションを一時停止し、そして、前記第２のネットワーク資源を使用することによって前記第１のユーザ機器との通信を再開することを伴う、非一時的なコンピュータ可読媒体。
【請求項８】
前記第１のユーザ機器への前記メディアコンテンツ転送セッションの後のスケジューリングのために、前記第１のネットワーク使用量パターンから第２の通信位置を選択することをさらに含み、前記第２の通信位置は、前記第１のネットワーク容量とは異なる第２のネットワーク容量を有する第２のネットワーク資源と関連付けられる、請求項７に記載の非一時的なコンピュータ可読媒体。
【請求項９】
前記第１のネットワーク使用量パターンが、前記第１のユーザ機器が、前記ネットワーク資源に低減された負荷を与え得る、前記メディアコンテンツ転送セッションの好ましい通信位置または好ましいデバイス状態を有することを示す場合、前記第２の通信位置は、前記第１のユーザ機器への前記メディアコンテンツ転送セッションの後のスケジューリングに対して選択される、請求項８に記載の非一時的なコンピュータ可読媒体。
【請求項１０】
前記比較は、ネットワーク資源利用が、１つ以上の判定された時間的パターンに基づくように、前記現在の参照と関連付けられるタイムスタンプを、前記第１のユーザ機器の前記第１のネットワーク使用量パターンと関連付けられる複数のタイムスタンプと比較することをさらに含む、請求項７に記載の非一時的なコンピュータ可読媒体。
【請求項１１】
前記第１のユーザ機器は、前記評価するステップおよび前記判定するステップを実行し、前記方法は、さらなる資源使用量判定のために、前記メディアコンテンツ転送セッションを修正するという指示を、ネットワーク資源コントローラに送信することをさらに含む、請求項７に記載の非一時的なコンピュータ可読媒体。
【請求項１２】
前記第１のユーザ機器の前記第１および第２の通信位置は、前記第１のユーザ機器が通信した携帯電話サービスエリアに関連する、請求項７に記載の非一時的なコンピュータ可読媒体。
【請求項１３】
複数のネットワーク資源を有するネットワークシステムにおいてメディアコンテンツ転送セッションをスケジューリングするためのコンピュータに実装される方法であって、各ネットワーク資源は、通信位置およびネットワーク容量と関連付けられており、
前記方法は、
第１のユーザ機器の第１の通信位置への第１の現在の参照を評価することであって、前記第１のユーザ機器は、前記第１の通信位置において第１のメディアコンテンツ転送セッションに関与し、前記第１の通信位置は、第１のネットワーク容量を有する第１のネットワーク資源と関連付けられる、ことと、
前記第１の現在の参照と前記第１のユーザ機器の第１のネットワーク使用量パターンとの比較に基づいて、前記第１のユーザ機器への前記第１のメディアコンテンツ転送セッションのスケジュールを修正するか否かを判定することと
を含み、
前記第１のネットワーク使用量パターンは、前記第１のユーザ機器が前記ネットワークシステムの前記ネットワーク資源を利用した１つ以上の以前の通信位置を含み、
前記修正には、前記第１のユーザ機器と通信する前記第１のネットワーク資源の使用を中断することによって前記メディアコンテンツ転送セッションを一時停止し、そして、前記第２のネットワーク資源を使用することによって前記第１のユーザ機器との通信を再開することを伴う、コンピュータに実装される方法。
【請求項１４】
前記第１のユーザ機器への前記第１のメディアコンテンツ転送セッションの後のスケジューリングのために、前記第１のネットワーク使用量パターンから第２の通信位置を選択することをさらに含み、前記第２の通信位置は、前記第１のネットワーク容量とは異なる第２のネットワーク容量を有する第２のネットワーク資源と関連付けられる、請求項１３に記載のコンピュータに実装される方法。
【請求項１５】
前記第１のネットワーク使用量パターンが、前記第１のユーザ機器が、前記ネットワーク資源に低減された負荷を与え得る、前記第１のメディアコンテンツ転送セッションの好ましい通信位置または好ましいデバイス状態を有することを示す場合、前記第２の通信位置は、前記第１のユーザ機器への前記第１のメディアコンテンツ転送セッションの後のスケジューリングに対して選択される、請求項１４に記載のコンピュータに実装される方法。
【請求項１６】
前記比較は、ネットワーク資源利用が、１つ以上の判定された時間的パターンに基づくように、前記第１の現在の参照と関連付けられるタイムスタンプを、前記第１のユーザ機器の前記第１のネットワーク使用量パターンと関連付けられる複数のタイムスタンプと比較することをさらに含む、請求項１３に記載のコンピュータに実装される方法。
【請求項１７】
前記第１のユーザ機器は、前記評価するステップおよび前記判定するステップを実行し、前記方法は、さらなる資源使用量判定のために、前記第１のメディアコンテンツ転送セッションを修正するという指示を、ネットワーク資源コントローラに送信することをさらに含む、請求項１３に記載のコンピュータに実装される方法。
【請求項１８】
前記ネットワークシステム内に提供される第２のユーザ機器の前記第１の通信位置への第２の現在の参照を評価することであって、前記第２のユーザ機器は、前記第１の通信位置において第２のメディアコンテンツ転送セッションに関与する、ことと、
前記第２の現在の参照と前記第２のユーザ機器の第２のネットワーク使用量パターンとの比較に基づいて、前記第２のユーザ機器への前記メディアコンテンツ転送セッションのスケジュールを修正するか否かを判定することであって、前記第２のネットワーク使用量パターンは、前記第２のユーザ機器が前記ネットワークシステムの前記ネットワーク資源を利用した１つ以上の以前の通信位置を含む、ことと、
前記第２の現在の参照と前記第２のネットワーク使用量パターンとの比較に基づいて、前記第１の通信位置において前記第２のユーザ機器との前記メディアコンテンツ転送セッションを継続することと
をさらに含む、請求項１３に記載のコンピュータに実装される方法。
【手続補正２】
【補正対象書類名】明細書
【補正対象項目名】００２３
【補正方法】変更
【補正の内容】
【００２３】
本発明のさらに別の態様によるものは、メディアコンテンツ転送セッションに関与するユーザ機器の通信位置への現在の参照を評価し、次いで、現在の参照の、同一のユーザ機器の１つ以上の以前の通信位置への履歴的参照との比較に基づき、メディアコンテンツ転送セッションのスケジュールを修正するか否かを判定するプロセスを含む、コンピュータに実装される方法である。
本願明細書は、例えば、以下の項目も提供する。
（項目１）
履歴的ネットワーク使用量パターンを使用して、負担となるメディアコンテンツの配布を調整するためのネットワーク接続されたコンピューティングシステムであって、
通信サービスを提供する、複数のネットワーク資源と、
ユーザ機器と、
前記ネットワーク接続されたコンピューティングシステムのすべての通信デバイスの間でのデータ通信を促進する、データ通信ネットワークと、 
を備え、前記ユーザ機器の通信位置への現在の参照が、前記現在の参照の、同一のユーザ機器の１つ以上の以前の通信位置への履歴的参照との比較に基づき、メディアコンテンツ転送セッションのスケジュールが修正されるべきか否かを判定するために評価される、
ネットワーク接続されたコンピューティングシステム。
（項目２）
前記メディアコンテンツ転送セッションの前記スケジュールが修正されるべきであると判定されると、続く通信に好ましいネットワーク資源または好ましいデバイス状態が判定される、項目１に記載のネットワーク接続されたコンピューティングシステム。
（項目３）
続く通信の前記判定は、前記好ましいネットワーク資源または前記好ましいデバイス状態が、それほど負担ではないメディアコンテンツ配信を促進することを示す、項目２に記載のネットワーク接続されたコンピューティングシステム。
（項目４）
前記修正は、現在サービス中のネットワーク資源との通信を中断することによって、前記メディアコンテンツ転送セッションを一時停止し、次いで、前記好ましいネットワーク資源のサービスが利用可能になったときに、前記好ましいネットワーク資源との通信を再開することをさらに含む、項目１に記載のネットワーク接続されたコンピューティングシステム。
（項目５）
前記比較は、ネットワーク資源利用が、１つ以上の判定される時間的パターンに基づくように、前記現在の参照と関連付けられるタイムスタンプを、同一のユーザ機器の前記履歴的参照と関連付けられる複数のタイムスタンプと比較することをさらに含む、項目１に記載のネットワーク接続されたコンピューティングシステム。
（項目６）
前記ユーザ機器は、前記現在の参照を前記履歴的参照と比較することによって、前記メディアコンテンツ転送セッションを修正するか否かを評価し、次いで、前記ユーザ機器は、さらなる資源使用量判定のために、前記メディアコンテンツ転送セッションを修正するという指示を、ネットワーク資源コントローラに送信する、項目１に記載のネットワーク接続されたコンピューティングシステム。
（項目７）
前記ユーザ機器の通信位置への前記現在の参照および前記ユーザ機器の１つ以上の以前の通信位置への前記履歴的参照は、前記ユーザ機器が通信した携帯電話サービスエリアに関連する、項目１に記載のネットワーク接続されたコンピューティングシステム。
（項目８）
コンピュータ実行可能命令が符号化されたコンピュータ可読媒体であって、実行される際、
メディアコンテンツ転送セッションに関与するユーザ機器の通信位置への現在の参照を評価することと、
前記現在の参照の、同一のユーザ機器の１つ以上の以前の通信位置への履歴的参照との比較に基づき、メディアコンテンツ転送セッションのスケジュールを修正するか否かを判定することと、
を含む方法を実施する、コンピュータ可読媒体。
（項目９）
前記メディアコンテンツ転送セッションの前記スケジュールが修正されるべきであると判定されると、続く通信に好ましいネットワーク資源または好ましいデバイス状態が判定される、項目８に記載のコンピュータ可読媒体。
（項目１０）
続く通信の前記判定は、前記好ましいネットワーク資源または前記好ましいデバイス状態が、それほど負担ではないメディアコンテンツ配信を促進することを示す、項目９に記載のコンピュータ可読媒体。
（項目１１）
前記修正は、現在サービス中のネットワーク資源との通信を中断することによって、前記メディアコンテンツ転送セッションを一時停止し、次いで、前記好ましいネットワーク資源のサービスが利用可能になったときに、前記好ましいネットワーク資源との通信を再開することをさらに含む、項目８に記載のコンピュータ可読媒体。
（項目１２）
前記比較は、ネットワーク資源利用が、１つ以上の判定される時間的パターンに基づくように、前記現在の参照と関連付けられるタイムスタンプを、同一のユーザ機器の前記履歴的参照と関連付けられる複数のタイムスタンプと比較することをさらに含む、項目８に記載のコンピュータ可読媒体。
（項目１３）
前記ユーザ機器は、前記現在の参照を前記履歴的参照と比較することによって、前記メディアコンテンツ転送セッションを修正するか否かを評価し、次いで、前記ユーザ機器は、さらなる資源使用量判定のために、前記メディアコンテンツ転送セッションを修正するという指示を、ネットワーク資源コントローラに送信する、項目８に記載のコンピュータ可読媒体。
（項目１４）
前記ユーザ機器の通信位置への前記現在の参照および前記ユーザ機器の１つ以上の以前の通信位置への前記履歴的参照は、前記ユーザ機器が通信した携帯電話サービスエリアに関連する、項目８に記載のコンピュータ可読媒体。
（項目１５）
コンピュータに実装される方法であって、 
メディアコンテンツ転送セッションに関与するユーザ機器の通信位置への現在の参照を評価することと、
前記現在の参照の、同一のユーザ機器の１つ以上の以前の通信位置への履歴的参照との比較に基づき、メディアコンテンツ転送セッションのスケジュールを修正するか否かを判定することと、
を含む、コンピュータに実装される方法。
（項目１６）
前記メディアコンテンツ転送セッションの前記スケジュールが修正されるべきであると判定されると、続く通信に好ましいネットワーク資源または好ましいデバイス状態が判定される、項目１５に記載のコンピュータに実装される方法。
（項目１７）
続く通信の前記判定は、前記好ましいネットワーク資源または前記好ましいデバイス状態が、それほど負担ではないメディアコンテンツ配信を促進することを示す、項目１６に記載のコンピュータに実装される方法。
（項目１８）
前記修正は、現在サービス中のネットワーク資源との通信を中断することによって、前記メディアコンテンツ転送セッションを一時停止し、次いで、前記好ましいネットワーク資源のサービスが利用可能になったときに、前記好ましいネットワーク資源との通信を再開することをさらに含む、項目１５に記載のコンピュータに実装される方法。
（項目１９）
前記比較は、ネットワーク資源利用が、１つ以上の判定される時間的パターンに基づくように、前記現在の参照と関連付けられるタイムスタンプを、同一のユーザ機器の前記履歴的参照と関連付けられる複数のタイムスタンプと比較することをさらに含む、項目１５に記載のコンピュータに実装される方法。
（項目２０）
前記ユーザ機器は、前記現在の参照を前記履歴的参照と比較することによって、前記メディアコンテンツ転送セッションを修正するか否かを評価し、次いで、前記ユーザ機器は、さらなる資源使用量判定のために、前記メディアコンテンツ転送セッションを修正するという指示を、ネットワーク資源コントローラに送信する、項目１５に記載のコンピュータに実装される方法。